(57)【要約】【課題】文字や記号など複数の構成要素からなる文字列の入力を高速化することができるようにする。【解決手段】本発明に係る携帯端末に適用可能な携帯電話機においては、入力部は、マトリックス入力モードによる入力を行うための複数の操作キーを有し、記憶部は、押下される操作キーに対応する数字または記号の組み合わせに応じて、５０音における各行に存在するいずれかの文字または定型文としての文字列が予め割り当てられた対応テーブルを記憶し、制御部は、記憶されている対応テーブルを参照して、マトリックス入力モードにおける第１の押下および第２の押下による数字または記号に基づいて、入力される文字または文字列を抽出し、メインディスプレイは、抽出された文字または文字列を第１の表示領域に表示する。【選択図】  図４
2010003146.tif 000002
【特許請求の範囲】
【請求項１】
マトリックス入力モードによる入力を行うための複数の操作キーを有する入力手段と、
押下される前記操作キーに対応する数字または記号の組み合わせに応じて、５０音における各行に存在するいずれかの文字または定型文としての文字列が予め割り当てられた対応テーブルを記憶する記憶手段と、
前記記憶手段により記憶されている前記対応テーブルを参照して、マトリックス入力モードにおける第１の押下および第２の押下による数字または記号に基づいて、入力される文字または文字列を抽出する抽出手段と、
前記抽出手段により抽出された文字または文字列を第１の表示領域に表示する表示手段とを備えることを特徴とする携帯端末。
【請求項２】
前記表示手段は、前記第１の押下による数字または記号に予め割り当てられた複数の定型文としての文字列を前記第１の表示領域と異なる第２の表示領域に表示することを特徴とする請求項１に記載の携帯端末。
【請求項３】
前記表示手段は、前記第２の表示領域に表示される複数の定型文としての文字列のうち、前記第１の表示領域に表示された定型文としての文字列と同一の文字列を反転表示することを特徴とする請求項２に記載の携帯端末。
【請求項４】
前記表示手段は、前記抽出手段により抽出された文字または文字列を前記第１の表示領域に未確定文字または未確定文字列として表示することを特徴とする請求項１に記載の携帯端末。
【請求項５】
前記操作キーに含まれる確定キーが押下された場合、前記表示手段により前記第１の表示領域に表示された文字または文字列を確定する確定手段をさらに備えることを特徴とする請求項１に記載の携帯端末。
【請求項６】
前記表示手段は、前記抽出手段により抽出された文字または文字列を前記第１の表示領域に反転表示または下線を付加して表示することを特徴とする請求項１に記載の携帯端末。
【発明の詳細な説明】
【技術分野】
【０００１】
本発明は携帯端末に係り、特に、操作キーを用いて文字を入力することができるようにした携帯端末に関する。
【背景技術】
【０００２】
近年、携帯電話機などに代表される携帯端末には、単なる通話による通信機能だけでなく、アドレス帳機能、インターネットなどのネットワークを介したメール機能や、Ｗｅｂページなどを閲覧することが可能なブラウザ機能などの種々の機能が搭載されるようになってきている。
【０００３】
特に携帯端末に搭載された文章の作成機能を用いて、例えば「ブログ」などのようなインターネット上の日記での文章のように比較的に長文の文章を作成することが増えつつある。そこで、このような文章を作成する際の操作性を向上させるべく、携帯端末に設けられた操作キーを用いてトグル入力することができる携帯端末や、あるいは、例えばスライド式に設けられた２つの入力部をユーザが両手で操作することによりマトリックス入力することができる携帯端末などが提案されている。
【０００４】
なお、トグル入力またはマトリックス入力に関する技術として、次のような技術が知られている（例えば特許文献１参照）。特許文献１に提案されている技術によれば、トグル入力データ記憶エリアは、押下されたテンキーとその押下回数に応じた種々の文字データを記憶するエリアであり、マトリックスデータ記憶エリアは、入力された２ケタの数字データに対応させた種々の文字データを記憶するエリアであり、トグル入力制御手段は、トグル入力データ記憶エリアのデータに基づいて、文字データの入力をトグル方式によって受け付ける制御を行う一方、マトリックス入力制御手段は、マトリックス入力データ記憶エリアのデータに基づいて、文字データの入力をマトリックス方式によって受け付ける制御を行う。これにより、ユーザの要求に応じて、トグル方式でも、マトリックス方式でも文字を入力することができる。
【特許文献１】特開平１１−１９６４５１号公報
【発明の開示】
【発明が解決しようとする課題】
【０００５】
従来から、携帯端末での文字入力において文字入力の高速化が図られてきており、如何に少ないキー押下回数で文字を入力するかに関する種々の取り組みが行われてきた。しかしながら、マトリックス入力においては１文字の入力に関してある程度の高速化は図られているが、文字や記号など複数の構成要素からなる文字列の入力に関しては、サブメニュ画面上において予め設定されている定型文を選択する必要があり、トグル入力のときと同様に複数回キー押下を行わなければならず、依然として高速化が図られていないという課題があった。
【０００６】
本発明は、このような状況に鑑みてなされたものであり、文字や記号など複数の構成要素からなる文字列の入力を高速化することができる携帯端末を提供することを目的とする。
【課題を解決するための手段】
【０００７】
本発明の携帯端末は、上述した課題を解決するために、マトリックス入力モードによる入力を行うための複数の操作キーを有する入力手段と、押下される操作キーに対応する数字または記号の組み合わせに応じて、５０音における各行に存在するいずれかの文字または定型文としての文字列が予め割り当てられた対応テーブルを記憶する記憶手段と、記憶手段により記憶されている対応テーブルを参照して、マトリックス入力モードにおける第１の押下および第２の押下による数字または記号に基づいて、入力される文字または文字列を抽出する抽出手段と、抽出手段により抽出された文字または文字列を第１の表示領域に表示する表示手段とを備えることを特徴とする。
【発明の効果】
【０００８】
本発明によれば、文字や記号など複数の構成要素からなる文字列の入力を高速化することができる。
【発明を実施するための最良の形態】
【０００９】
以下、本発明の実施の形態について、図面を参照しながら説明する。図１は、本発明に係る携帯端末として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１０】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１１】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１２】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１３】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１４】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１５】
また、第１の筐体１２には、操作キー１４の下部にマイクロフォン１５が設けられており、マイクロフォン１５によって通話時のユーザの音声を集音する。さらに、第１の筐体１２には、携帯電話機１の操作を行うサイドキー１６が設けられている。
【００１６】
なお、第１の筐体１２は、背面側に図示しないバッテリパックが挿着されており、終話・電源キーがオン状態になると、バッテリパックから各回路部に対して電力が供給されて動作可能な状態に起動する。
【００１７】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図３のスピーカ５０）も設けられている。
【００１８】
また、第１の筐体１２と第２の筐体１３の内部の所定の位置には、携帯電話機１の状態を検知するための磁気センサ１９a、１９b、１９c、および１９dが設けられる。なお、メインディスプレイ１７は、例えば有機ＥＬにより構成されるディスプレイでもよいし、液晶ディスプレイ（Liquid Crystal Display）でもよい。
【００１９】
図２は、本発明に係る携帯端末として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００２０】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２１】
図３は、本発明に係る携帯端末に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２２】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２３】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２４】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２５】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００２６】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００２７】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００２８】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００２９】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３０】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００３１】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。なお、制御部４１には、必要に応じて１または複数のＣＰＵが備えられる。
【００３２】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００３３】
電源回路４４は、バッテリ４３の出力を基に所定の動作電源電圧Ｖｃｃを生成して各回路部に供給する。また、地上波ディジタルワンセグ受信部４８は、図示せぬ放送局からの地上波ディジタルワンセグ放送波や地上波ディジタルラジオ放送波を受信し、受信された地上波ディジタルワンセグ放送波や地上波ディジタルラジオ放送波に基づくＴＳ（Transport Stream）信号を地デジ処理部４９に供給する。地デジ処理部４９は、地上波ディジタルワンセグ受信部４８にて地上波ディジタルワンセグ放送波が受信された場合、地上波ディジタルワンセグ受信部４８からの地上波ディジタルワンセグ放送波に基づくＴＳ信号から、音声データと映像データに関するＥＳ（Elementary Stream）にそれぞれ分離し、分離された音声データを地デジ処理部４９内の音声デコーダ（図示せず）にて所定の復号化方式でデコードするとともに、分離された映像データを地デジ処理部４９内の映像デコーダ（図示せず）にて所定の復号化方式でデコードし、デコード後のディジタル音声信号とディジタル動画像信号を制御部４１に供給する。
【００３４】
図４のフローチャートを参照して、図３の携帯電話機１における文字入力処理について説明する。なお、この文字入力処理は、例えばメールに関するアプリケーションを起動してメールを作成する場合に実行されることを想定するが、このような場合に限られず、文字入力を行う他の場合（例えばメモ帳など）などにも本発明を適用するようにしてもよい。また、本発明に係る文字入力処理を説明する前に、本発明に係る概念について説明する。例えばマトリックス入力を行う場合、母音に対応する第１のキーの押下と、子音に対応する第２のキーの押下とが実行されるが、この第１押下キー（母音）と第２押下キー（子音）との組み合わせに応じて５０音の文字が一意に割り当てられる。例えば図５に示されるように、第１押下キーが「１」であり、かつ、第２押下キーが「１」である場合、マトリックス入力の文字として「あ」が割り当てられる。また、第１押下キーが「１」であり、かつ、第２押下キーが「２」である場合、マトリックス入力の文字として「い」が割り当てられている。以下、同様である。
【００３５】
ここで、「０」乃至「９」の数字キーを用いた第１押下キーと第２押下キーの組み合わせは１０×１０＝１００通り考えられるが、１００通りのうちの５０通りの組み合わせ（例えば第１押下キー「０」乃至「９」と、第２押下キー「１」乃至「５」の組み合わせ）に関して５０音の文字を割り当てたとしても、残りの５０通りの組み合わせに関しては使用されていない。そこで、文字や記号など複数の構成要素からなる文字列の入力において高速化を図るべく、上記の未使用領域（例えば第１押下キー「０」乃至「９」と、第２押下キー「０」および「６」乃至「９」の組み合わせ）を定型文割り当て領域とする。そして、例えば図６に示されるように、第１押下キーが「１」であり、かつ、第２押下キーが「６」である場合、マトリックス入力の文字列である定型文として「お疲れ様です。」が割り当てられる。また、第１押下キーが「１」であり、かつ、第２押下キーが「７」である場合、マトリックス入力の定型文として「おはようございます。」が割り当てられている。以下、同様である。なお、第１押下キーが「２」乃至「９」の数字キーである場合、「０」および「６」乃至「９」のいずれかの第２押下キーとの組み合わせに対して、ユーザによって予め登録されたユーザ定義文（ユーザ定義文１乃至４０）が割り当てられている。勿論、初期設定として種々の定型文を予め割り当てるようにしてもよい。また、数字キー以外の記号などを組み合わせて文字または文字列を対応付けるようにしてもよい。
【００３６】
なお、図５および図６に示される対応関係に関しては、文字・文字列対応テーブルとして記憶部４２の所定の記憶領域に予め記憶されている。
【００３７】
ステップＳ１において、制御部４１は、メインディスプレイ１７を制御し、メールを作成するためのメール作成画面を表示させる。メインディスプレイ１７は、制御部４１の制御に従い、例えば図７（Ａ）に示されるように、メール作成画面を表示する。なお、図７（Ａ）乃至（Ｉ）は、メインディスプレイ１７に表示される表示画面の遷移図である。
【００３８】
ステップＳ２において、制御部４１は、ユーザにより操作キー１４が操作されることにより、いずれかの数字キーが押下されたか否かを判定し、いずれかの数字キーが押下されたと判定するまで待機する。ステップＳ２において制御部４１が、いずれかの数字キーが押下されたと判定した場合、制御部４１はステップＳ３で、メインディスプレイ１７を制御し、押下された数字キーをフォーカスして表示させる（反転表示させる）。例えばユーザにより操作キー１４のうちの「１」の数字キーが押下された場合、メインディスプレイ１７に表示される表示画面は図７（Ａ）に示される表示画面から図７（Ｂ）に示される表示画面に遷移し、図７（Ｂ）に示されるように、数字「１」がメインディスプレイ１７に反転表示される。
【００３９】
ステップＳ４において、制御部４１は、ユーザにより操作キー１４が操作されることにより、いずれかの下位の数字キー（「０」および「６」乃至「９」）が押下されたか否かを判定する。ステップＳ４において制御部４１が、いずれかの下位の数字キーが押下されたと判定した場合、制御部４１は、記憶部４２に記憶されている文字・文字列対応テーブルを読み出し、読み出された文字・文字列対応テーブルを参照して、押下された数字キーの組み合わせに割り当てられた定型文を抽出する。例えば「１」の数字キーが押下された後、続いて「７」の数字キーが押下された場合、押下された数字キーの組み合わせ（「１」と「７」の数字キーの組み合わせ）に割り当てられた定型文として「おはようございます。」が抽出される。
【００４０】
ステップＳ６において、制御部４１は、メインディスプレイ１７を制御し、抽出された定型文をメインディスプレイ１７の表示領域のうちの第１の表示領域に表示させる。例えば定型文として「おはようございます。」が抽出された場合、メインディスプレイ１７に表示される表示画面は図７（Ｂ）に示される表示画面から図７（Ｃ）に示される表示画面に遷移し、図７（Ｃ）に示されるように、定型文「おはようございます。」がメインディスプレイ１７に下線を付加して表示される。なお、第１の表示領域に表示される定型文に関しても、反転表示（又は、グレーアウト表示）するようにしてもよい。
【００４１】
そしてほぼ同時に、ステップＳ７において、制御部４１は、メインディスプレイ１７を制御し、文字・文字列対応テーブルに記述された定型文の一覧を表示させるとともに、抽出された定型文をフォーカスする（反転表示させる）。勿論、グレーアウト表示するようにしてもよい。例えば定型文として「おはようございます。」が抽出された場合、図７（Ｃ）に示されるように、メインディスプレイ１７の表示領域の第２の表示領域に、押下された数字キー「１」（第１押下キー）に割り当てられた定型文の一覧（「お疲れ様です。」、「おはようございます。」、「こんにちは。」、「こんばんは。」。および「おやすみなさい。」）が所定の順序で表示される。このとき、抽出された定型文である「おはようございます。」の部分が反転表示される。これにより、ユーザが、数字キーの組み合わせにどのような定型文が割り当てられているかを覚えておかなくても、選択可能な定型文の一覧を知ることができる。その結果、マトリックス入力を用いた文字列の入力における誤入力を抑制することができる。
【００４２】
ステップＳ８において、制御部４１は、ユーザにより操作キー１４が操作されることにより、上下キーが押下されたか否かを判定する。ステップＳ８において制御部４１が、上下キーが押下されたと判定した場合、制御部４１はステップＳ９で、メインディスプレイ１７を制御し、押下された上下キーに応じた指示に従い、第２の表示領域に表示されている定型文の一覧における定型文のフォーカスの位置を移動させる。
【００４３】
例えば図７の場合、図７（Ｃ）に示される表示画面がメインディスプレイ１７に表示されているとき、ユーザにより操作キー１４のうちの下キーが押下されると、表示画面は図７（Ｃ）から図７（Ｄ）に示される表示画面に遷移し、第２の表示領域に表示されている定型文の一覧における定型文のフォーカスの位置（反転表示の位置）が「おはようございます。」から「こんにちは。」に移動する。このとき、同時に、第１の表示領域に表示される定型文が「おはようございます。」から「こんにちは。」に変更される。
【００４４】
その後、ユーザにより操作キー１４が操作されることで上下キーが繰り返し押下されると、その上下キーの押下に伴って第２の表示領域の定型文のフォーカスの位置が変更されるとともに、第１の表示領域に表示される定型文も変更される。
【００４５】
ステップＳ８において制御部４１が、上下キーが押下されていないと判定した場合、ステップＳ９の処理はスキップされる。ステップＳ１０において、制御部４１は、ユーザにより操作キー１４のうちの確定キーが押下されたか否かを判定する。ステップＳ１０において制御部４１が、ユーザにより操作キー１４のうちの確定キーが押下されたと判定した場合、制御部４１は、ユーザにより現在第１の表示領域にて表示されている未確定定型文を確定させるとの指示がなされたと認識し、メインディスプレイ１７を制御し、第１の表示領域にて下線が付されて表示されている定型文を確定させる。例えば図７（Ｄ）に示される表示画面上にて確定キーが押下された場合、第１の表示領域にて表示されている未確定定型文である「こんにちは。」が確定され、表示画面が図７（Ｄ）から図７（Ｅ）に示される表示画面に遷移する。その後、処理はステップＳ２に戻り、ステップＳ２以降の処理が繰り返し実行される。
【００４６】
一方、ステップＳ１０において制御部４１が、ユーザにより操作キー１４のうちの確定キーが押下されていないと判定した場合、制御部４１はステップＳ１２で、ユーザにより操作キー１４のうちのクリアキーが押下されたか否かを判定する。ステップＳ１２において制御部４１が、ユーザにより操作キー１４のうちのクリアキーが押下されていないと判定した場合、処理はステップＳ８に戻り、ステップＳ８以降の処理が繰り返し実行され、メインディスプレイ１７の第１の表示領域に表示される未確定定型文が確定またはクリア（削除）される。
【００４７】
一方、ステップＳ１２において制御部４１が、ユーザにより操作キー１４のうちのクリアキーが押下されたと判定した場合、制御部４１はステップＳ１３で、メインディスプレイ１７を制御し、メインディスプレイ１７の第１の表示領域に表示されている定型文（未確定定型文）を削除する。そして、メインディスプレイ１７に表示される表示画面は図７（Ｅ）から図７（Ａ）に示される表示画面に遷移する。その後、処理はステップＳ２に戻り、ステップＳ２以降の処理が繰り返し実行される。
【００４８】
ステップＳ４において制御部４１が、いずれかの下位の数字キーが押下されていないと判定した場合、制御部４１はステップＳ１４で、ユーザにより操作キー１４が操作されることで、いずれかの上位の数字キー（「１」乃至「５」）が押下されたか否かを判定する。ステップＳ１４において制御部４１が、いずれの上位の数字キーも押下されていないと判定した場合、処理はステップＳ４に戻り、ステップＳ４以降の処理が実行される。
【００４９】
一方、ステップＳ１４において制御部４１が、いずれかの上位の数字キーが押下されたと判定した場合、制御部４１はステップＳ１５で、記憶部４２に記憶されている文字・文字列対応テーブルを読み出し、読み出された文字・文字列対応テーブルを参照して、押下された数字キーの組み合わせに割り当てられた文字を抽出する。例えば「１」の数字キーが押下された後、続いて「１」の数字キーが押下された場合、押下された数字キーの組み合わせ（「１」と「１」の数字キーの組み合わせ）に割り当てられた文字として「あ」が抽出される。
【００５０】
ステップＳ１６において、制御部４１は、メインディスプレイ１７を制御し、抽出された文字をメインディスプレイ１７の表示領域のうちの第１の表示領域にフォーカスして表示させる。例えば文字として「あ」が抽出された場合、メインディスプレイ１７に表示される表示画面は図７（Ｂ）に示される表示画面から図７（Ｆ）に示される表示画面に遷移し、図７（Ｆ）に示されるように、文字「あ」がメインディスプレイ１７にフォーカスして表示される。
【００５１】
そしてほぼ同時に、ステップＳ１７において、制御部４１は、記憶部４２に記憶されている最新の予測文字列（「あ」が入力された場合に対応する予測文字列）を読み出し、メインディスプレイ１７を制御し、読み出された予測文字列をメインディスプレイ１７の第２の表示領域に表示させる。例えば図７（Ｆ）の場合、「間」と「空いている」の予測文字列が第２の表示領域に表示される。
【００５２】
その後、処理はステップＳ８に進み、上述したステップＳ８以降の処理が同様に実行される。このとき、メインディスプレイ１７に表示される表示画面は図７（Ｆ）から図７（Ｇ）乃至（Ｉ）に示される表示画面に遷移する。なお、図７（Ｇ）乃至（Ｉ）に示される表示画面に遷移する場合における処理の説明については省略する。
【００５３】
本発明の実施形態においては、マトリックス入力モードによる入力を行うための複数の操作キー１４を有し、押下される操作キー１４に対応する数字または記号の組み合わせに応じて、５０音における各行に存在するいずれかの文字または定型文としての文字列が予め割り当てられた文字・文字列対応テーブルを記憶し、記憶されている文字・文字列対応テーブルを参照して、マトリックス入力モードにおける第１の押下および第２の押下による数字または記号に基づいて、入力される文字または文字列を抽出し、抽出された文字または文字列を第１の表示領域に表示することができる。これにより、マトリックス入力モードにおいて文字列を入力する場合、トグル入力のときと同様の複数回キー押下を行う必要がなくなり、文字や記号など複数の構成要素からなる文字列の入力を高速化することができる。従って、文字入力を行う際の操作性および利便性を向上させることができる。
【００５４】
なお、本発明の実施形態においては、定型文としての文字列の入力における高速化について説明したが、このような場合に限られず、例えばメールアドレスをユーザ定義文として登録しておき、メールアドレスの入力時における高速化を図るようにしてもよいし、エディタ画面において適宜行われるコピーアンドペーストされた文字列を自動的にユーザ定義文に登録するようにしてもよい。
【００５５】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の携帯端末にも適用することができる。
【００５６】
また、本発明の実施形態において説明した一連の処理は、ソフトウェアにより実行させることもできるが、ハードウェアにより実行させることもできる。
【００５７】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００５８】
【図１】本発明に係る携帯端末に適用可能な携帯電話機の外観の構成を示す図。
【図２】本発明に係る携帯端末に適用可能な携帯電話機の他の外観の構成を示す図。
【図３】本発明に係る携帯端末に適用可能な携帯電話機の内部の構成を示すブロック図。
【図４】図３の携帯電話機における文字入力処理を説明するフローチャート。
【図５】図３の記憶部に記憶されている文字・文字列対応テーブルの構成例を示す図。
【図６】図３の記憶部に記憶されている文字・文字列対応テーブルに登録されているユーザ定義文を示す図。
【図７】図３の文字入力処理におけるメインディスプレイの表示画面の遷移図。
【符号の説明】
【００５９】
１…携帯電話機、１１…ヒンジ部、１２…第１の筐体、１３…第２の筐体、１４…操作キー、１５…マイクロフォン、１６…サイドキー、１７…メインディスプレイ、１８…レシーバ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、４８…地上波ディジタルワンセグ受信部、４９…地デジ処理部、５０…スピーカ。
【図１】
2010003146.tif 000003
【図２】
2010003146.tif 000004
【図３】
2010003146.tif 000005
【図４】
2010003146.tif 000006
【図５】
2010003146.tif 000007
【図６】
2010003146.tif 000008
【図７】
2010003146.tif 000009